(57)【要約】【課題】  移動通信システムで要求される周波数間隔の２周波数で垂直偏波の送受信が行える１給電ポートのパッチアンテナを実現する。【解決手段】  １給電ポートのパッチアンテナの中央部と地板との間に、垂直偏波が得られるＴＭＯ１モード動作を生じさせるようにショートピンを設けるとともに、パッチに、パッチの給電点位置とショートピン位置を結ぶ直線のショートピン側延長線と交差し、ショートピン位置を中心とする円弧状で前記延長線に関して対称なスロットを設けることにより、給電点から見た周波数対リターンロス特性において間隔を置いた２周波数でリターンロスを極小とする。【選択図】        図１
2005191781.tif 000002
【特許請求の範囲】
【請求項１】
給電点が１ポートのパッチアンテナで、パッチの中央部と地板との間に垂直偏波が得られるＴＭＯ１モード動作を生じさせるショートピンを有するとともに、パッチの給電点位置とショートピンの位置を結ぶ直線のショートピン側延長線と交わり、ショートピン位置を中心とした、円弧状スロットを有することを特徴とす２周波共用パッチアンテナ。
【請求項２】
パッチと地板との間に誘電体を挟んだことを特徴とする請求項１記載の２周波共用パッチアンテナ。
【発明の詳細な説明】
【技術分野】
【０００１】
本発明は、ＰＤＣ、ＰＨＳ、無線ＬＡＮ或いはＶＩＣＳ等の２周波以上の周波数に対応しうる１点給電の１体化アンテナの技術分野に属する。
【背景技術】
【０００２】
従来の２周波共用アンテナとしては、パッチアンテナで実現されている。
１点給電の２周波共用パッチアンテナの動作モードとしては、周波数がほとんど近接している同一モードで動作するものか、周波数が離れている場合は主モードと高次モードで動作する。周波数が離れていて同一モードで動作するものは、２点給電で実現されている。
２周波共用パッチアンテナの偏波は、２周波ともに水平偏波か、もしくは１周波目が水平偏波で２周波目が垂直偏波である。
パッチアンテナはその構造上、高さ方向の寸法が小さくて済むという特徴がある。
【０００３】
一方、移動通信システム、例えばＰＤＣ（８００ＭＨｚおよび１．５ＧＨｚ）、ＰＨＳ（１．９ＧＨｚ帯）、ＩＭＴ−２０００（２ＧＨｚ帯）、無線ＬＡＮ（２．４ＧＨｚ帯）、ＶＩＣＳ（２．５ＧＨｚ帯）は垂直偏波が望まれる。これらのシステムの２つに対応する２周波共用アンテナは、周波数が離れていて、２周波ともに垂直偏波であるアンテナが必要とされており、そのため垂直方向に高さのある線状アンテナが用いられて来た（非特許文献１、２参照）。
【非特許文献１】S.A.Long,M.D.Walton 、 「A Dual-Frequecy Stacked Circular-Disc Antenna」、IEEE Transactions on Antennas and Propagation 、米国、IEEE、March1979、Vol.AP-27,No.2,p.270-273
【非特許文献２】恵比根佳雄、鹿児嶋憲一、「近接無給電素子を有する多周波共用ダイポールアンテナ」、電子情報通信学会論文誌、電子情報通信学会、1988年11月号、J71-B、P1252-1258
【発明の開示】
【発明が解決しようとする課題】
【０００４】
以上のように、移動通信システムでは垂直偏波を用いるため高さを有する線状アンテナが用いられているが、この高さ寸法を小さくするという課題があった。そこで、高さ寸法が小さいという特徴を有するパッチアンテナを用いて、垂直偏波で、周波数帯が離れ且つ１給電ポートであるアンテナを提供することが本発明の解決課題である。
【課題を解決するための手段】
【０００５】
上記課題を解決するため本発明のアンテナは、次の構成を有する。
第１の構成は、給電点が１ポートのパッチアンテナで、パッチの中央部と地板との間に垂直偏波が得られるＴＭＯ１モード動作を生じさせるショートピンを有するとともに、パッチの給電点位置とショートピンの位置を結ぶ直線のショートピン側延長線と交わり、ショートピン位置を中心とし、前記延長線に関して対称な円弧状スロットを有することを特徴とす２周波共用パッチアンテナである。
【０００６】
第２の構成は、前記第１の構成において、パッチと地板との間に誘電体を挟んだことを特徴とする２周波共用パッチアンテナである。
【０００７】
通常のパッチアンテナは水平偏波であるが、パッチアンテナの中央でパッチと地板をショートピン（短絡ピン）で短絡すると軸対称のＴＭ０１モードを励振する。ＴＭ０１モードの電磁界は図４に示すようになる。軸対称モードで励振すれば、垂直偏波で水平面無指向性となる。ここで、水平偏波、垂直偏波というのは地板を水平に設置したときの偏波をいう。
しかし、それだけでは、２周波共用にしようとしても、周波数対リターンロス特性における１つの通過帯域内における同一モードでの異なる周波数での動作ということになり、移動通信システムにおいて要求される周波数間隔を得ることができない。
【０００８】
そこで、本願発明者らは、ショートピンで短絡したパッチアンテナ即ち垂直偏波の得られるパッチアンテナにおいて、移動通信システムの要求する周波数間隔が得られる２周波共用アンテナの開発に努力して来たがその結果、パッチにスロットを設けることにより、１つの給電点から給電した場合のアンテナの周波数対リターンロス特性において通過帯域を２極化できることを確認した。
【０００９】
スロットの位置、形状は、前述のように、パッチにおける給電点位置とショートピン位置を結ぶ直線のショートピン側の延長線に交わるようにして、ショートピン位置を中心とする円弧状で前記延長線に関して対称なスロットである。
【００１０】
このように、パッチにスロットを設けると、パッチからの放射とスロットからの放射の２つが寄与することになる。パッチの共振周波数はスロットのないときのパッチアンテナの共振周波数より低くなり（例えばｆ１）、スロットの共振周波数はスロットのないときのパッチアンテナの共振周波数より高くなり（例えばｆ２）、２つの共振周波数が得られる。パッチの電流に対し直交するようにスロットを切っているため、スロットの放射はパッチの放射とほぼ同等になる。
但し、ショートピン位置と給電点位置を結ぶ直線を含む垂直面において、スロットが切っていない面が出てくるため対称性がくずれる。
【００１１】
別の考え方としては、パッチアンテナが放射する電磁波はパッチの端部をスロットとみなした時の放射と等価であり、このアンテナは導体板にスロットが２つ装荷してある形と等価であるといえる。言い換えれば、パッチが２つあるような形とも言え、ｆ１、ｆ２はそのパッチからの放射と考えることができる。
【００１２】
スロットの幅、長さ、円弧の半径を変えることにより、特性曲線の形状やリターンロスが極小となる周波数（即ち使用周波数）の間隔が変わり、１給電ポートで、移動通信システムで要求される周波数間隔の２周波共用の垂直偏波アンテナが得られる。
【発明の効果】
【００１３】
以上述べたように、本発明のパッチアンテナは、パッチの中央部と地板との間に垂直偏波が得られるＴＭＯ１モード動作を生じさせる短絡ピン（ショートピン）を設けたので垂直偏波が得られ、更にパッチの給電点位置とショートピン位置を結ぶ直線のショートピン側延長線と交わり、ショートピン位置を中心とする円弧状で前記延長線に関して対称なスロットを設けたので、１つの給電点からの給電に対し、アンテナの周波数対リターンロス特性において、移動通信システムにおいて要求される周波数間隔でのリターンロス極小が得られ、移動通信システムにおいて２周波共用のアンテナとして用いることができるパッチアンテナが得られ、高さの低い移動通信システム用アンテナが得られるという利点がある。
【発明を実施するための最良の形態】
【００１４】
本発明のアンテナにおいても多くのパッチアンテナと同様に、パッチ、地板共に同心円形が最も望ましい。その理由は、方位指向性が一様になり、設置の場合における方位上の制約が少なくなるからである。
ショートピンの位置は上記円の中心位置が最も望ましい。給電点の、円形中心からの距離はインピーダンス整合が最もよく得られる距離ということで従来のパッチアンテナの場合と同じである。
【００１５】
パッチおよび地板それぞれの直径およびパッチと地板の間隔は、用いる周波数帯によって定まり、その周波数帯でインピーダンス整合が最もよくとれる寸法に設定される。最終的にはシミュレーション或いはデータ実測等により最適値を定めることになる。ショートピンの直径についても同様である。
【実施例１】
【００１６】
以下、本発明の２周波共用パッチアンテナの実施例を図面を参照して説明する。
図１は、本発明パッチアンテナの実施例の構造図であり、（ａ）は平面図、（ｂ）は側断面図である。円形のパッチ３および円形の地板５はその中心位置を同じくして間隔ｄで面平行に設けられている。中心位置にはショートピン２が設けられてパッチ３と地板５をショートしている。給電ポート７からは給電導体６が貫通してパッチ３の給電点４へ接続されている。パッチ３と地板５の間隔ｄはその間が図のように空気の場合は０．０５λ位であるが、誘電体を間に挟んだ場合にはその誘電率に応じｄを狭くすることができるとともに、パッチも小型化できる。
【００１７】
以上のような、構造で、パッチの半径が０．１２λ、スロットの幅が０．００８λ、中心（ショートピン位置）からスロットまでの半径が０．１１λ、スロットの弧の中心角が２２０度、ショートピンの直径が０．０３λ、間隔ｄが０．０５λ、給電ピンの位置が中心から０．０５λのパッチアンテナの周波数対リターンロス特性データは図２に示すようになる。
【００１８】
図２によれば、周波数がｆ１＝１．９８ＧＨｚとｆ２＝２．８５ＧＨｚの所でリターンロスが極小となっており、この２つの周波数でアンテナを効率的に動作させることができることを示している。
【００１９】
即ち、給電ポート７からｆ１およびｆ２を中心とする両周波数帯の信号を同時に給電しても、それぞれの周波数帯で垂直偏波の電波を放射するし、逆に空間から両周波数帯の垂直偏波の電波を同時に受波しても、両受波信号をそれぞれ給電ポート７から取り出すことができることになる。
【００２０】
図３は、上記アンテナの、垂直面内における指向性パターンを示す図で、（ａ）は周波数が１．９８ＧＨｚの場合であり、（ｂ）は周波数が２．８５ＧＨｚの場合である。いずれも実線は給電点４とショートピン位置を結ぶ直線を含む垂直面内における指向性パターンであり、点線は上記垂直面に対して水平方位方向で直交する垂直面における指向性パターンである。
いずれも実用上問題のないパターンとなっている。
【図面の簡単な説明】
【００２１】
【図１】本発明パッチアンテナの実施例の構造図であり、（ａ）は平面図、（ｂ）は側断面図である。
【図２】本発明パッチアンテナの実施例における周波数対リターンロス特性を示す図である。
【図３】本発明パッチアンテナの実施例における、直交する２垂直面における指向性パターンを示す図であり、（ａ）は周波数が１．９８ＧＨｚの場合であり、（ｂ）は２．８５ＧＨｚの場合である。
【図４】円形パッチアンテナにおけるＴＭ０１モードの電磁界説明図である。
【符号の説明】
【００２２】
１  スロット
２  ショートピン
３  パッチ
４  給電点
５  地板
６  給電導体
７  給電ポート
【図１】
2005191781.tif 000003
【図２】
2005191781.tif 000004
【図３】
2005191781.tif 000005
【図４】
2005191781.tif 000006